【誤訳訂正書】
【提出日】平成23年6月29日(2011.6.29)
【誤訳訂正１】
【訂正対象書類名】明細書
【訂正対象項目名】発明の名称
【訂正方法】変更
【訂正の内容】
【発明の名称】親水性被覆を有する医療装置
【誤訳訂正２】
【訂正対象書類名】明細書
【訂正対象項目名】特許請求の範囲
【訂正方法】変更
【訂正の内容】
【特許請求の範囲】
【請求項１】
内表面と外表面とを有する少なくとも１つの管状部材を備える医療装置であって、該管状部材の内表面は少なくとも１つの第２表面と少なくとも時折接触し、該管状部材は該管状部材の内表面上に施された親水性被覆を有し、該親水性被覆は、移動によって発生する、該管状部材の内表面と該第２表面との間の摩擦を軽減するために存在し、又、該管状部材の内表面は官能基を有する架橋性シリコーンで前処理され、該官能基は、アミン、アミド、カルボキシル、ヒドロキシル、及びリンを含む基のうちの少なくとも１つの基からなり、かつ、該親水性被覆は、ポリアルキレングリコール、アルコキシポリアルキレングリコール、ポリ（サッカライド）、ポリ（ビニルピロリドン）、ポリ（ビニルアルコール）、ポリ（アクリル酸）、ポリ（アクリルアミド）、ポリ（無水マレイン酸）、それらのコポリマー、及びそれらの混合物のうちの少なくとも１つの材料からなる医療装置。
【請求項２】
前記管状部材は熱可塑性高分子材料からなる請求項１に記載の医療装置。
【請求項３】
前記管状部材が、エチレンのホモポリマー、コポリマー、及びターポリマー、プロピレンのホモポリマー、コポリマー及びターポリマー、ポリエステル、ポリアミド、ポリウレタン、ビニルコポリマー、ブロックコポリマー、ブロックコポリマーイオノマー、及びそれらの混合物のうちの少なくとも１つの材料からなる請求項１に記載の医療装置。
【請求項４】
前記第２表面が、高分子材料、金属、及びそれらの混合物のうちの少なくとも１つの材料からなる請求項１に記載の医療装置。
【請求項５】
前記架橋性シリコーンがアミノ官能性ポリジメチルシロキサンからなる請求項１に記載の医療装置。
【請求項６】
前記架橋性シリコーンが０．１乃至１０％の濃度で使用される請求項１に記載の医療装置。
【請求項７】
前記親水性被覆が更にビタミンＥを含む請求項１に記載の医療装置。
【請求項８】
ａ）前記管状部材の内表面を前記架橋性シリコーンで前処理する工程と、
ｂ）前処理された管状部材の内表面を前記親水性被覆で被覆する工程と、
によって被覆された請求項１に記載の医療装置。
【請求項９】
前記前処理する工程（ａ）と前記被覆する工程（ｂ）とがフラッシング法によって達成される請求項８に記載の医療装置。
【請求項１０】
前記管状部材が高分子チューブからなり、前記第２表面が金属ワイヤである請求項１に記載の医療装置。
【請求項１１】
前記親水性被覆がポリオキシプロピレン−ポリオキシエチレンブロックコポリマー又はエトキシ化ひまし油からなる請求項１に記載の医療装置。
【請求項１２】
前記架橋性シリコーンがアミノ官能性ポリジメチルシロキサンである請求項１１に記載の医療装置。
【誤訳訂正３】
【訂正対象書類名】明細書
【訂正対象項目名】０００１
【訂正方法】変更
【訂正の内容】
【０００１】
発明の分野
本発明は、親水性被覆を有するカテーテルアセンブリ等の医療装置に関するものである。
【誤訳訂正４】
【訂正対象書類名】明細書
【訂正対象項目名】０００９
【訂正方法】変更
【訂正の内容】
【０００９】
医療装置に潤滑性を付与するために、シリコーンベースの潤滑剤，グリセリン、あるいはオリーブ油を含む疎水性被覆が用いられてきた。これらの被覆は、水溶性の環境に晒されると洗い落とされて、元の潤滑性を急速に失い、摩耗抵抗性を欠くことは知られている。残余のシリコーンにより患者に炎症反応が発生することは知られている。潤滑性の欠如は患者に挿入する際に不快感を与え、装置の挿入、除去の際の摩擦力により血管や細胞組織が損傷され得る。シリコーンベースの潤滑剤の例にはポリシロキサンや変性ポリシランを含むが、それらはしばしばアミノアルキルあるいはカルボキシアルキル末端基である極性基を含む。１９９２年１月２８日にカミリ（Ｋａｍｉｒｉ）等に付与された米国特許第５，０８４，３１５号にはこの問題がマイグレーションとビーディングで論じられている。
【誤訳訂正５】
【訂正対象書類名】明細書
【訂正対象項目名】００１０
【訂正方法】変更
【訂正の内容】
【００１０】
１９９３年１１月３０日にシュピールボーゲル（Ｓｐｉｅｌｖｏｇｅｌ）に付与された米国特許第５、２６６、３５９号には非養生ポリシロキサンのエマルジョン、界面活性剤、および水を含む、医療装置用の潤滑剤組成物が記載されている。その界面活性剤は反応型のポリシランとポリオキシエチレンとのコポリマーであり、養生されると表面に接着する。この特許は溶剤を用いない応用方法を教えているが、シリコーンベースの潤滑剤に関連する問題は残されている。
【誤訳訂正６】
【訂正対象書類名】明細書
【訂正対象項目名】００１１
【訂正方法】変更
【訂正の内容】
【００１１】
１９９３年１２月２１日にオポルスキー（Ｏｐｏｌｓｋｉ）に対して付与された米国特許第５，２７２，０１２号には保護用潤滑剤被覆を有する医療装置の製造方法が記載されている。その製造方法は、ウレタン等の保護化合物、シロキサン等のスリップ添加物、及び場合によれば、多官能性アジリディン等の保護化合物のための架橋剤を含む被覆液の製造、医療装置の表面への液の被覆、及びその被覆の固定からなる。保護化合物は、スリップ添加物の分域が形成層中に露出されるようにスリップ添加物を結びつける。被覆液は架橋剤を含んでいてもよい。保護化合物は、保護化合物内の他の部分および医療装置に由来する部分と架橋する能力のある官能性部分を有することが望ましい。
【誤訳訂正７】
【訂正対象書類名】明細書
【訂正対象項目名】００１２
【訂正方法】変更
【訂正の内容】
【００１２】
摩擦係数を軽減するための他の方法は、テフロン（登録商標）の商品名により一般に公知のポリテトラフルオロエチレン（以下ＰＴＦＥという）等の低摩擦材料を付加することである。例えば、ガイドカテーテルと処置カテーテルとの間の摩擦を軽減するために、ＰＴＦＥを内部カテーテルルーメンの内層として付加してもよい。ＰＴＦＥ内層を用いる際の問題点は、分離押出し工程が必要であり、エッチングも必要なことである。 ＰＴＦＥと高分子カテーテル材料との間の接着も一般的には問題である。バーグ（Ｂｅｒｇ）等に付与された米国特許第５，６４７，８４６号は、ガイドカテーテルの内層の幾何学的に形成した内表面を用いることによりこれらの問題を解決した。即ち、潤滑性高分子を用いることによるよりも、幾何学により低摩擦特性を達成し、それにより潤滑性高分子の必要性を軽減した。しかしながら、この特許では、ＰＴＦＥ等の潤滑性高分子の内層形成やあるいはシリコーン等の潤滑剤による内表面被覆も開示されている。
【誤訳訂正８】
【訂正対象書類名】明細書
【訂正対象項目名】００１４
【訂正方法】変更
【訂正の内容】
【００１４】
１９９８年１２月１５日にホステットラー（Ｈｏｓｔｅｔｔｌｅｒ）等に付与された米国特許第５，８４９，３６８号には、本質的に非極性かあるいはわずかに極性である高分子樹脂やゴム材料の表面を、極性あるいはより極性で、親水性にすることにより、続いてアミン含有官能基、ならびに最終的に、高耐久性、高接着、高滑り性のポリウレタンあるいはポリウレタン−尿素のヒドロゲル被覆を高分子表面に施工することを可能にする工程が記載されている。この工程には、高分子樹脂やゴム基板材料のデュアルプラズマ処理が含まれており、それによりアミンおよびアミノ基が基板表面に固着して基板をより親水性にし、ポリウレタンやポリウレタン／尿素の高分子の末端イソシアネート基に対してより活性にする。
【誤訳訂正９】
【訂正対象書類名】明細書
【訂正対象項目名】００１６
【訂正方法】変更
【訂正の内容】
【００１６】
本発明者は医療装置用、特にカテーテルアセンブリ用の、本質的に非潤滑性な表面を潤滑性にする親水性で潤滑性の被覆、および、医療装置の管状部材の内部表面の被覆を含む、そのような装置の被覆法を見出した。この親水性潤滑剤被覆は、従来の潤滑剤被覆に関連した前述の問題点や、シリコーンベースの潤滑剤やポリテトラフルオロエチレン層添加に関連する問題点を克服した。
【誤訳訂正１０】
【訂正対象書類名】明細書
【訂正対象項目名】００１７
【訂正方法】変更
【訂正の内容】
【００１７】
発明の要約
本発明は親水性被覆を有する医療装置に関する。この被覆は架橋性シリコーンでの前処理と親水性潤滑剤被覆からなる。架橋性シリコーンは、医療装置の表面に接着あるいは結合し、親水性潤滑性の保持を向上させることが可能な置換基を含む。架橋性シリコーンが親水性高分子を保持し得るメカニズムの１つは、配位結合あるいは水素結合である。
【誤訳訂正１１】
【訂正対象書類名】明細書
【訂正対象項目名】００２２
【訂正方法】変更
【訂正の内容】
【００２２】
本発明の潤滑剤被覆は潤滑性を向上させ、油ベースの潤滑剤に関連するマイグレーションの問題を除去し、そして油ベースのシリコーン潤滑剤に関連する細胞組織の反応と炎症を除去する。
【誤訳訂正１２】
【訂正対象書類名】明細書
【訂正対象項目名】００４７
【訂正方法】変更
【訂正の内容】
【００４７】
本発明の好ましい実施例において、親水性潤滑剤被覆（１１５）は、例えば、加水分解可能なエステルやアミド基を有する非親水性高分子材料から変換されたカルボキシル酸あるいはアルコールである。ポリ（無水マレイン酸）も加水分解されてカルボキシル酸になり得る。この実施例において、被覆を形成する高分子材料は、スリーブ（６６）と（６８）を作製するために使用される高分子材料と同時に押し出しされる。スリーブはポリアミド、ポリエステル、ポリビニルクロライド、ポリスチレン、ポリアクリレート、ポリメタクリレート、ポリアクリロニトリル、ポリアクリルアミド、ポリエチレン、ポリプロピレン、ポリウレタン、ポリビニルアセテート，シリコーン樹脂、ポリテトラフルオロエチレン（ＰＴＦＥ）およびコポリマー、およびそれらのブレンド等の多様な有機高分子材料から作製され得る。その結果は、内層が疎水性ポリエステルあるいはポリアミドで、外層が上記したいずれの材料でもよい高分子材料である、２層の管状構造になる。
【誤訳訂正１３】
【訂正対象書類名】明細書
【訂正対象項目名】００５１
【訂正方法】変更
【訂正の内容】
【００５１】
非反応性と反応性とを共に含めて、本発明に有用な多種の親水性高分子がある。親水性はまた、水の存在中で高分子の反応によって得られ、水溶性部分を形成する。ここで有用な水溶性潤滑材は、ポリアルキレングリコール、アルコキシポリアルキレングリコール、メチルビニルエーテルとマレイン酸とのコポリマー、ポリ（ビニルピロリドン）、ポリ（Ｎ−アルキルアクリルアミド）を含むポリ（アクリルアミド）、ポリ（アクリル酸），ポリ（サッカライド）、ポリ（ビニルアルコール）、ポリ（エチレンイミン）、ポリアミド、メチルセルロース、カルボキシメチルセルロース、ポリビニルスルホン酸、ヘパリン、デキストラン、変性デキストラン、コンドロイチンサルフェート、レシチン等を含む。それらの高分子は代表的には鎖状構造、非架橋、および−ＯＨ、−ＣＯＮＨ2、−ＣＯＯＨ，−ＮＨ2，−ＣＯＯ−，−ＳＯ3，−ＮＲ3＋，等で、Ｒはアルキルあるいは水素である、親水基を有する水溶性である。これらの高分子の誘導体も、それらが水溶性でなくても、水和可能かあるいは水中に分散可能ならば使用され得る。例には、エステル化高分子、塩、アミド、無水物、ハライド、エーテル、加水分解物、アセタル、ホルマール、アルキロール、第四級ポリマー、ジアゾ、ハイドラジド、サルフォネート、ナイトレート、および上記水溶性高分子の凝縮、添加、置換、酸化、あるいは還元反応によって得られたイオン錯体を含む。ジアゾニウム、アジドイソシアネート、酸塩化物、酸無水物、イミノカーボネート、アミノ、カルボキシル、エポキシ、ヒドロキシル、およびアルデヒド基等の１つ以上の反応性官能基を有する物質と架橋した高分子も有用である。ビニル、アクリル酸、メタクリル酸、ジエン化合物等とコポリマーする高分子も又含まれる。親水性潤滑剤の好ましい部類は、下記の一般式を有するポリアルキレングリコール、あるいはアルコキシポリアルキレングリコールである。
【誤訳訂正１４】
【訂正対象書類名】明細書
【訂正対象項目名】００５３
【訂正方法】変更
【訂正の内容】
【００５３】
【化２】
2003510134.tif 000001
Ｒ１およびＲ２は同じであっても異なっていてもよく、Ｈあるいは炭素原子が１から約６までのアルキル基でもよい。ｘは２から約５００まで、ｙは０から約１００までである。
【誤訳訂正１５】
【訂正対象書類名】明細書
【訂正対象項目名】００５４
【訂正方法】変更
【訂正の内容】
【００５４】
ポリアルキレングリコールとアルコキシポリアルキレングリコールとは、例えば、ヒドロキシル、硫黄、窒素、あるいは酸素等の官能基を含んでもよい。
本発明のより具体的な好ましい実施例では、水溶性潤滑剤は、ポリアルキレングリコール、あるいはアルコキシポリアルキレングリコールのコポリマーである。このようなコポリマーの具体例には、プルロニック（Ｐｌｕｒｏｎｉｃ登録商標）３１Ｒ１界面活性剤、ニュージャージー州マウントオリーブのビーエーエスエフコーポレーション（ＢＡＳＦ  Ｃｏｒｐ．ｉｎ  Ｍｏｕｎｔ  Ｏｌｉｖｅ、ＮＪ）から入手可能のポリオキシプロピレン／ポリオキシエチレンのブロックコポリマーおよびクレモフォル（Ｃｒｅｍｏｐｈｏｒ登録商標）ＥＬ３５，エトキシ化ひまし油（ＰＥＧ３５Ｃａｓｔｏｒ  Ｏｉｌ）あるいはミシガン州ワイアンドットのビーエーエスエフコーポレーション（ＢＡＳＦ  Ｃｏｒｐ．ｉｎ  Ｗｙａｎｄｏｔｔｅ，ＭＩ）から入手可能のポリオキシエチレングリセロールルトリリシノを含む。
【誤訳訂正１６】
【訂正対象書類名】明細書
【訂正対象項目名】００５５
【訂正方法】変更
【訂正の内容】
【００５５】
別法として、潤滑剤被覆は、例えば加水分解等の化学反応によって潤滑性の親水性化合物に変換可能な疎水性化合物からも作製可能である。変換は被覆工程終了後でも可能である。このような化合物の例は、例えば、ポリ（アクリレート）、ポリ（メタ）アクリレート、ポリ（ビニルエステル）、ポリ（マレアート）、ポリ（フマレート）、ポリアミド、ポリ（アクリルアミド）、およびそれらのコポリマーやターポリマー等のエステル等の、ペンダントエステルあるいはアミド基を有する化合物を含む。ポリ（アクリル酸）、ポリ（メタクリル酸）あるいはポリマレイン酸のエステル、およびポリアミドあるいはポリ（アクリルアミド）は加水分解によりカルボキシル酸に変換可能である。加水分解は塩基性でも酸性でもよく、反応を加速するために加熱してもよい。エステルは酸あるいは塩基の存在中で可逆的に加水分解する。酸触媒反応において水の過剰の使用は加水分解に有効ある。ビニルエステルは又、アルカリ金属水酸化物を用いたけん化によりアルコールに転換で可能であり、アルコールと酸の金属塩を形成する。これらの材料の大部分は疎水性であるが、一部は親水性で、同様に水和が可能である。
【誤訳訂正１７】
【訂正対象書類名】明細書
【訂正対象項目名】００６０
【訂正方法】変更
【訂正の内容】
【００６０】
【化６】
2003510134.tif 000002
Ｒ，Ｒ1，Ｒ2，およびＲ3は各々独立に水素あるいは１つから４つの炭素原子を有するアルキルでよい。ｎは整数である。これらの高分子の分子量は幅広く、約８００から約４００，０００ｇ／分子であり得る。好ましくは、分子量は約１，０００から２０，０００ｇ／分子である。水溶性潤滑剤を使用する主要利点は、速やかに血流中に溶解し、短期間に体外に排出されて、炎症や再発狭窄症の可能性を軽減する。対照的に、シリコーンベースの潤滑剤は患者に細胞組織反応や炎症を発生させることは公知である。さらに、本発明の水溶性潤滑剤は優れた潤滑性と摩擦軽減を示す。シリコーン、グリセリンあるいはオリーブ油等の油ベース潤滑剤は、被覆表面からビーズ化やマイグレーションを起こす傾向にあり、潤滑材の利点を減少させる結果、潤滑性や摩擦軽減を有しない表面になる。さらに、それらの潤滑剤は、水溶性潤滑剤ほど適合性を有しない血流中に移動し、細胞組織の炎症を発生させる。
【誤訳訂正１８】
【訂正対象書類名】明細書
【訂正対象項目名】００６４
【訂正方法】変更
【訂正の内容】
【００６４】
架橋性プライマは一般に疎水性であるが、親水性高分子を引き付ける幾つかの置換基を有する。親水性高分子は水素結合により接着すると推測される。従って、親水性高分子との水素結合に関係するいずれの基も医療装置表面上の保持を向上させる。
【誤訳訂正１９】
【訂正対象書類名】明細書
【訂正対象項目名】００６５
【訂正方法】変更
【訂正の内容】
【００６５】
架橋性化合物は、アミン、アミド、カルボキシル、ヒドロキシル、チオール、リンを含む基等の親水性官能基を有するものを含む。反応性プライマは、水溶性潤滑剤被覆が潤滑性になるための表面に、より良く接着し、それにより水溶性潤滑剤被覆が、例えば体液に曝されても早急に洗い流される事を防止する等のメカニズムをこれらの官能基が備える方向に向かわせる。
【誤訳訂正２０】
【訂正対象書類名】明細書
【訂正対象項目名】００６６
【訂正方法】変更
【訂正の内容】
【００６６】
医療装置の表面の前処理に使用される架橋性化合物の好ましい部類は、シラン、あるいはシリコーンオリゴマー等の架橋性シリコーンである。しかしながら、親水性高分子と水素結合を形成する置換基を含むならば、他の架橋性化学物質も使用可能である。この目的のために、ほんの少量のシリコーンを使用して、敏感な細胞組織の炎症の可能性を減少させることは可能であり望ましい。また、本発明の架橋に使用されるシリコーン化合物は、高分子表面へより良好に接着する傾向があるので、シリコーンベース化合物による炎症の可能性をさらに軽減する。このシリコーンプライマは潤滑剤被覆への優れた基礎を供給し、それにより潤滑剤被覆の均一性と長期安定性とを向上させる。この安定性は、比較的長期間の保存期間後でさえも潤滑性を保証する。
【誤訳訂正２１】
【訂正対象書類名】明細書
【訂正対象項目名】００６７
【訂正方法】変更
【訂正の内容】
【００６７】
本発明の好ましい実施例において、アミノ基を有するシランは親水性高分子を表面上に接着させて、潤滑剤被覆の装置上の保持を向上させる。
さらに具体的には、本発明に有用な架橋性シリコーン界面活性剤の例は、液体シリコーンゴムエラストマであり、シラスティック（Ｓｉｌａｓｔｉｃ登録商標）ＭＤＸ４−４２１０の商品名で販売されている、アミノ官能性ポリジメチルシロキサンである。
【誤訳訂正２２】
【訂正対象書類名】明細書
【訂正対象項目名】００７７
【訂正方法】変更
【訂正の内容】
【００７７】
管状部材の表面は、アミン、アミド、カルボキシル、ヒドロキシル等の基を有する化合物を含む、疎水性及び親水性の官能性を有する反応性化合物でプライム処理、あるいは前処理し得る。これらの基は、被覆が物件の表面から洗い流されないように、水溶性潤滑剤被覆を表面に「結合」させ得る。この反応性プライマは均一に濡れ易い表面を提供し、チューブ内表面の長手方向に沿って潤滑剤被覆の接着を容易にする。反応性化合物は、施工や乾燥によって管状表面上に架橋被覆を形成する、シランあるいはシリコーンオリゴマーでよい。管状部材の内表面をプライマ処理あるいは処理する一方法はフラッシュ法である。この方法では、潤滑剤被覆の溶液は注射器によってチューブの一部分に接続され、それにより溶液は注入され、チューブ全体に行き渡る。シリコーン化合物は、好ましくは架橋性化合物が約０，１％から約１０％の、好ましくは約０，２％から約５％の重量／容積ベース濃度の、ヘプタン或いはそれに類似の溶剤中に溶解する。管状部材中にトラップされた過剰の溶液は１〜２気圧の空気あるいは窒素により除去される。そこで、架橋反応は約３０℃から約８０℃、好ましくは約４０℃から約６５℃で、より好ましくは約４５℃から約５５℃の温度の加熱により進行する。
【誤訳訂正２３】
【訂正対象書類名】明細書
【訂正対象項目名】００８１
【訂正方法】変更
【訂正の内容】
【００８１】
実施例
プライマ１
架橋性シリコーンプライマの溶液は、１００ｍｌカラム（重量／体積ベースで０，５％濃度）中で約９９，７ミリリットルのヘプタン中に、ミネソタ州ミッドランド（Ｍｉｄｌａｎｄ、ＭＩ）のダウコーニングケミカルズ（Ｄｏｗ  Ｃｏｒｎｉｎｇ  Ｃｈｅｍｉｃａｌｓ）製のシラスティック（Ｓｉｌａｓｔｉｃ登録商標）ＭＤＸ４を０，５ｇ溶解することにより作製される。購入した際のシラスティック（Ｓｉｌａｓｔｉｃ登録商標）ＭＤＸ４は、シュードクメンとイソプロパノールとの混合溶液中で５０％濃度を有する。ヘプタンはアルドリッヒケミカル（Ａｌｄｒｉｃｈ  ｃｈｅｍｉｃａｌ）から、９９％以上の純度で水含有量が０，００５％以下の無水タイプで購入される。
【誤訳訂正２４】
【訂正対象書類名】明細書
【訂正対象項目名】００８２
【訂正方法】変更
【訂正の内容】
【００８２】
プライマ２
架橋性シリコーンの溶液はヘプタン中に約０，２ｇのＭＤＸ４を溶解することによって作製される。ＭＤＸ４はキャップ付きの１００ｍｌカラム中で秤量し、全体で１００ｍｌ（重量／体積ベースで約０，２％濃度）になるようにヘプタンを加える。
【誤訳訂正２５】
【訂正対象書類名】明細書
【訂正対象項目名】００８６
【訂正方法】変更
【訂正の内容】
【００８６】
潤滑剤３
ビーエーエスエフコーポレーション（ＢＡＳＦ  Ｃｏｒｐ．）からのエトキシ化ひまし油である、クレモフォル（Ｃｒｅｍｏｐｈｏｒ登録商標）ＥＬ３５の２０％溶液は、全体が１００ｍｌになるまでＩＰＡ中にクレモフォル（Ｃｒｅｍｏｐｈｏｒ登録商標）を２０ｇおよびビタミンＥを０，０２ｇ溶解することによって作製される。
【誤訳訂正２６】
【訂正対象書類名】明細書
【訂正対象項目名】００８７
【訂正方法】変更
【訂正の内容】
【００８７】
潤滑剤４
ビーエーエスエフコーポレーション（ＢＡＳＦ  Ｃｏｒｐ．）からのエトキシ化ひまし油である、クレモフォル（Ｃｒｅｍｏｐｈｏｒ登録商標）ＥＬ３５の２０％溶液は、全体が１００ｍｌになるまでＩＰＡ中にクレモフォル（Ｃｒｅｍｏｐｈｏｒ登録商標）を２０ｇおよびビタミンＥを０，０２ｇ溶解することによって作製される。
【誤訳訂正２７】
【訂正対象書類名】明細書
【訂正対象項目名】００９３
【訂正方法】変更
【訂正の内容】
【００９３】
プライマ３で上記に記載されたようにポリエチレンチューブを被覆し、続いて６％濃度のＤＣ３６０シリコーン潤滑剤とで被覆することにより制御試料を作製した。ステンレスロッドをこのチューブ中にも挿入した。